(57)【要約】【課題】ハンドルに伝わる釣り用リールの回転フィーリングをさらに向上させる。【解決手段】スピニングリール１００の駆動ギア１１は、ピニオンギア１２に噛み合う。駆動ギア１１は、ギア本体１１ａと複数の駆動ギア歯１１ｂと波形調整部１６とを備える。ギア本体１１ａは駆動軸１０に設けられる。複数の駆動ギア歯１１ｂは、ギア本体１１ａの外周側に周方向に間隔を隔てて設けられ、ピニオンギア１２に噛み合う。波形調整部１６は、複数の駆動ギア歯１１ｂの少なくとも一部に設けられ、噛み合いにおいて発生する振動の波形ＷＳが不均一になるように調整する。波形調整部１６は、少なくとも１つの駆動ギア歯１１ｂと残りの駆動ギア歯１１ｂとの間で、圧力角ＰＡ、ピッチＰＥ、ねじれ角ＴＡ、歯形形状ＴＳ、及び歯すじ形状ＴＬＳの少なくともいずれかを異ならせることによって、波形ＷＳが不均一になるように調整する。【選択図】図５
2015112099.tif 000002
【特許請求の範囲】
【請求項１】
釣り用リールの駆動軸に設けられ、ピニオンギアに噛み合う駆動ギアであって、
前記駆動軸に設けられる円板状のギア本体と、
前記ギア本体の外周側に周方向に間隔を隔てて設けられ、前記ピニオンギアにかみ合う複数の駆動ギア歯と、
前記複数の駆動ギア歯の少なくとも一部に設けられ、前記ピニオンギアとの噛み合いにおいて発生する振動の波形が不均一になるように調整する波形調整部と、を備え、
前記波形調整部は、少なくとも１つの前記駆動ギア歯と残りの前記駆動ギア歯との間で、圧力角、ピッチ、ねじれ角、歯形形状、及び歯すじ形状の少なくともいずれか一つを異ならせることによって、前記波形が不均一になるように調整する、釣り用リールの駆動ギア。
【請求項２】
前記波形調整部は、少なくなくとも前記圧力角を異ならせることによって、前記波形が不均一になるように調整する、請求項１に記載の釣り用リールの駆動ギア。
【請求項３】
前記波形調整部は、少なくなくとも前記ピッチを異ならせることによって、前記波形が不均一になる用地調整する、請求項１又は２に記載の釣り用リールの駆動ギア。
【請求項４】
前記波形調整部は、少なくなくとも前記ねじれ角を異ならせることによって、前記波形が不均一になるように調整する、請求項１から３のいずれか１項に記載の釣り用リールの駆動ギア。
【請求項５】
前記波形調整部は、少なくなくとも前記歯形形状を異ならせることによって、前記波形が不均一になるように調整する、請求項１から４のいずれか１項に記載の釣り用リールの駆動ギア。
【請求項６】
前記波形調整部は、少なくなくとも前記歯すじ形状を異ならせることによって、前記波形が不均一になるように調整する、請求項１から５のいずれか１項に記載の釣り用リールの駆動ギア。
【請求項７】
前記駆動ギア歯は、前記ギア本体の外周側の側面に形成されるフェースギア歯を含む、請求項１から６のいずれか１項に記載の釣り用リールの駆動ギア。
【請求項８】
前記駆動ギア歯は、前記ギア本体の外周面に形成されるすぐ歯及びはす歯のいずれかを含む、請求項１から７のいずれか１項に記載の釣り用リールの駆動ギア。
【請求項９】
釣り用リールのスプール軸が貫通可能であり、駆動軸に設けられる駆動ギアの駆動ギア歯に噛み合うピニオンギアであって、
前記スプール軸が貫通可能な筒状のギア本体と、
前記ギア本体の外周面に周方向に間隔を隔てて設けられ、前記駆動ギア歯に噛み合う複数のピニオンギア歯と、
前記ピニオンギア歯に設けられ、前記駆動ギアとの噛み合いにおいて発生する振動の波形が不均一になるように調整する波形調整部と、を備え、
前記波形調整部は、少なくとも１つの前記ピニオンギア歯と残りの前記ピニオンギア歯との間で、圧力角、ピッチ、ねじれ角、歯形形状、及び歯すじ形状の少なくともいずれか一つを異ならせることによって、前記波形を不均一にする、釣り用リールのピニオンギア。
【発明の詳細な説明】
【技術分野】
【０００１】
本発明は、ギア、特に、釣り用リールの駆動ギア及び駆動ギアに噛み合う釣り用リールのピニオンギアに関する。
【背景技術】
【０００２】
釣り用リールには、ハンドルの回転によって釣り糸をスプールに巻き付けるための回転伝達機構が設けられる。回転伝達機構は、ハンドルに連動して回転する駆動ギアと、駆動ギアと噛み合うピニオンギアと、を有する。例えば、回転するスプールで釣り糸を巻き取る両軸受リールでは、ハンドルの回転に連動して回転可能な駆動軸にドラグ機構を介して連結される駆動ギアが知られている。また、駆動軸に一体的に回転可能に装着される駆動ギアも知られている。駆動ギアは、スプール回転させるためのピニオンギアに噛み合う。駆動ギア及びピニオンギアは、互いに噛み合うすぐ歯又ははす歯のギア歯を有する。
【０００３】
ロータによって釣り糸をスプールに巻き付けるスピニングリールでは、ハンドルの回転に連動して回転する駆動軸に一体的に回転可能な駆動ギアが知られている。駆動ギアは、複数のフェースギア歯を有し、ピニオンギアは、フェースギア歯に噛み合うはす歯を有する。
【０００４】
釣り用リールの駆動ギアにおいて、ハンドルを回して釣り糸を巻き取るときのハンドルに伝わる回転フィーリングを向上させることができるものが従来知られる（特許文献１参照）。従来の釣り用リールでは、駆動ギア及びピニオンギアのモジュールを小さくして駆動ギアの歯数を増やし、ハンドルに伝わる振動の周期を短くして回転フィーリングを向上させる。
【先行技術文献】
【特許文献】
【０００５】
【特許文献１】特開平２０１２−１２０４４４号公報
【発明の概要】
【発明が解決しようとする課題】
【０００６】
従来の釣り用リールの駆動ギアでは、駆動ギアのモジュールを小さくして振動の周期を短くして回転フィーリングを向上させる。このため、振動の周期がハンドルの回転速度に対して一定になり、ハンドルに伝わる振動が単調になる。
【０００７】
本発明の課題は、ハンドルに伝わる釣り用リールの回転フィーリングをさらに向上させることにある。
【課題を解決するための手段】
【０００８】
本発明の係る釣り用リールの駆動ギアは、釣り用リールの駆動軸に設けられ、ピニオンギアに噛み合うギアである。駆動ギアは、円板状のギア本体と、複数の駆動ギア歯と、波形調整部と、を備える。ギア本体は、駆動軸に設けられる。複数の駆動ギア歯は、ギア本体の外周側に周方向に間隔を隔てて設けられ、ピニオンギアに噛み合う。波形調整部は、複数の駆動ギア歯の少なくとも一部に設けられ、ピニオンギアとの噛み合いにおいて発生する振動の波形が不均一になるように調整する。波形調整部は、少なくとも１つの駆動ギア歯と残りの駆動ギア歯との間で、圧力角、ピッチ、ねじれ角、歯形形状、及び歯すじ形状の少なくともいずれか１つを異ならせることによって、波形が不均一になるように調整する。
【０００９】
この駆動ギアによれば、波形調整部によって少なくとも１つの駆動ギア歯と残りの駆動ギア歯との間で、圧力角、ピッチ、ねじれ角、歯形形状、及び歯すじ形状の少なくともいずれか１つを異ならせる。このため、ハンドルに伝わる振動が複雑な振動の組み合わせになる。これによって、シルク又はベルベットなどの繊維の表面をなぞるようなテクスチャー振動を得ることができる。このため、ハンドルに伝わる釣り用リールの回転フィーリングをさらに向上させることができる。
【００１０】
波形調整部は、少なくとも圧力角を異ならせることによって、波形が不均一になるように調整してもよい。この場合には、比較的容易に波形を不均一にできる。
【００１１】
波形調整部は、少なくともピッチを異ならせることによって、波形が不均一になるように調整してもよい。この場合に、ピッチの変化によって、振動の周期及び振幅を変化させ波形を不均一に変化させることができる。
【００１２】
波形調整部は、少なくともねじれ角を異ならせることによって、波形が不均一になるように調整してもよい。この場合には、ねじれ角の変化によって、振動の周期及び振幅を変化させ波形を不均一に変化させることができる。
【００１３】
波形調整部は、少なくとも歯形形状を異ならせることによって、波形が不均一になるように調整してもよい。この場合には、歯形形状を変化させることによって、振動の周期及び振幅を変化させ波形を不均一に変化させることができる。
【００１４】
波形調整部は、少なくとも歯すじ形状を異ならせることによって、波形が不均一になるように調整してもよい。この場合には、歯すじ形状の変化させることによって、振動の周期及び振幅を変化させ波形を不均一に変化させることができる。
【００１５】
駆動ギア歯は、ギア本体の外周側の側面に形成されるフェースギア歯を含んでもよい。この場合には、スピニングリールのハンドルに伝わる回転フィーリングをさらに向上させることができる。
【００１６】
駆動ギア歯は、ギア本体の外周面に形成されるすぐ歯及びはす歯のいずれかを含んでもよい。この場合には、両軸受リールのハンドルに伝わる回転フィーリングをさらに向上させることができる。
【００１７】
本発明の別の発明に係る釣り用リールのピニオンギアは、釣り用リールのスプール軸が貫通可能であり、駆動軸に設けられる駆動ギアの駆動ギア歯に噛み合う釣り用リールのピニオンギアである。ピニオンギアは、筒状のギア本体と、複数のピニオンギア歯と、波形調整部と、を備える。ギア本体は、スプール軸が貫通可能である。複数のピニオンギア歯は、ギア本体の外周面に周方向に間隔を隔てて設けられ、駆動ギア歯に噛み合う。波形調整部は、ピニオンギア歯に設けられ、駆動ギアとの噛み合いにおいて発生する振動の波形が不均一になるように調整する。波形調整部は、少なくとも１つのピニオンギア歯と残りのピニオンギア歯との間で、圧力角、ピッチ、ねじれ角、歯形形状、及び歯すじ形状の少なくともいずれか１つを異ならせることによって、波形が不均一になるように調整する。
【００１８】
このピニオンギアによれば、波形調整部によって少なくとも１つのピニオンギア歯と残りのピニオンギア歯との間で、圧力角、ピッチ、ねじれ角、歯形形状、及び歯すじ形状の少なくともいずれか１つを異ならせる。このため、ハンドルに伝わる振動が複雑な振動の組み合わせになる。これによって、シルク又はベルベットなどの繊維の表面をなぞるようなテクスチャー振動を得ることができる。このため、ハンドルに伝わる釣り用リールの回転フィーリングをさらに向上させることができる。
【発明の効果】
【００１９】
本発明によれば、駆動ギアとピニオンギアとの噛み合いにおいて、発生する振動の波形が不均一になる。このため、ハンドルに伝わる振動が複雑な振動の組み合わせになる。これによって、シルク又はベルベットなどの繊維の表面をなぞるようなテクスチャー振動を得ることができる。このため、ハンドルに伝わる釣り用リールの回転フィーリングをさらに向上させることができる。
【図面の簡単な説明】
【００２０】
【図１】本発明の第１実施形態が採用されたスピニングリールの側面断面図。
【図２】図１の切断面線II−IIによって切断した背面断面図。
【図３】ロータ駆動機構の分解斜視図。
【図４】ロータ駆動機構の平面図。
【図５】スピニングリールの駆動ギアの波形調整部の模式図。
【図６】ハンドルを糸巻き取り方向の回転させたときの波形の模式図。
【図７】本発明の第２実施形態が採用された両軸受リールの平面図。
【図８】その平面断面図。
【図９】ギア機構の分解斜視図。
【図１０】両軸受リールの駆動ギアの波形調整部の模式図。
【発明を実施するための形態】
【００２１】
＜第１実施形態＞
本発明の第１実施形態を採用したスピニングリール（釣り用リールの一例）１００は、図１に示すように、ハンドル１と、ハンドル１を回転自在に支持するリール本体２と、ロータ３と、スプール４とを備える。ロータ３は、リール本体２の前部に回転自在に支持される。スプール４は、釣り糸を外周面に巻き取るものであり、ロータ３の前部に前後移動自在に配置される。なお、ハンドル１はリール本体２の左右いずれにも装着可能である。
【００２２】
ハンドル１は、ハンドル軸１ａと、ハンドル軸１ａから径方向に延びるハンドルアーム１ｂと、ハンドルアーム１ｂの先端に回転自在に設けられたハンドル把手１ｃと、を有する。
【００２３】
＜リール本体の構成＞
リール本体２は、図１に示すように、側部が開口する収納空間を内部に有するリールボディ２ａと、リールボディ２ａの収納空間を塞ぐためにリールボディ２ａに着脱自在に装着される蓋部材２ｂ（図２）と、を有する。また、リール本体２は、リールボディ２ａ及び蓋部材２ｂの後部を覆う本体ガード２６を有する。
【００２４】
リールボディ２ａは、たとえば、マグネシウム合金やアルミニウム合金等の軽合金製のものであり、上部に前後に延びるＴ字形の竿取付脚２ｃが一体形成される。リールボディ２ａの収納空間内には、図１に示すように、ロータ駆動機構５と、オシレーティング機構６とが設けられる。
【００２５】
＜ロータ駆動機構の構成＞
ロータ駆動機構５は、ハンドル１の回転をロータ３に伝達するものであり、ハンドル１の回転に連動してロータ３を回転させる。ロータ駆動機構５は、図２及び図３に示すように、ハンドル１のハンドル軸１ａが一体回転可能に連結された駆動軸１０とともに回転する駆動ギア１１と、この駆動ギア１１に噛み合うピニオンギア１２とを有する。
【００２６】
図２に示すように、駆動ギア１１は、駆動軸１０と一体又は別体（この実施形態では一体）に形成される。駆動軸１０は、ねじ結合又は非円形係合（この実施形態ではねじ結合）により一体回転可能に、ハンドル軸１ａに連結される。駆動軸１０は、蓋部材２ｂに装着された軸受２７ａ及びリールボディ２ａに装着された軸受２７ｂにより、リール本体２に回転自在に装着される。駆動軸１０の両端の内周面には、ハンドル軸１ａに螺合する左雌ネジ部１０ａ及び右雌ネジ部１０ｂが形成される。ここで、駆動ギア１１に近い側の左雌ネジ部１０ａは左ねじであり、駆動ギア１１から離れた側の右雌ネジ部１０ｂは、右ねじである。したがって、ハンドル軸１ａは、右ねじ用と左ねじ用の２種類のものが用意される。
【００２７】
駆動ギア１１は、図３及び図４に示すように、フェースギアの形態である。駆動ギア１１は、駆動軸１０に設けられる円板状のギア本体１１ａと、ギア本体１１ａの外周側に周方向に間隔を隔てて設けられ、ピニオンギア１２にかみ合う複数の駆動ギア歯１１ｂと、駆動ギア歯１１ｂの少なくとも一部に設けられる波形調整部１６（図５参照）と、を備える。駆動ギア歯１１ｂは、ギア本体１１ａの一側面の外周側に周方向に間隔を隔てて形成されたフェースギア歯１１ｃを含む。駆動ギア１１は、駆動軸１０とともに、例えばアルミニウム合金を鍛造して一体形成される。それぞれのフェースギア歯１１ｃは、図５に示すように、ハンドル１が糸巻取方向に回転する時にピニオンギア１２に噛み合う第１歯面１１ｄと、糸繰り出し方向に回転したときにピニオンギア１２に噛み合う第２歯面１１ｅとを有する。第１歯面１１ｄは歯すじ方向の中央部が凹んだ凹面で構成され、第２歯面１１ｅは歯すじ方向の中央部が突出した凸面で構成される。
【００２８】
波形調整部１６は、糸繰り出し方向に回転するときにピニオンギア１２に接触する第１歯面１１ｄに設けられる。波形調整部１６は、ピニオンギア１２との噛み合いにおいて発生する振動の波形ＷＳが、図６に示すように、不均一になるように調整するものである。波形調整部１６は、通常は、複数のフェースギア歯１１ｃの第１歯面１１ｄの形状を可及的に高精度にするとともに、ギアの諸元を同じに形成するのを、あえて、少なくとも１つのフェースギア歯１１ｃを残りのフェースギア歯１１ｃのギアの諸元と異ならせる、言い換えれば、諸元に誤差を付与することによって形成される。具体的には、図５に二点鎖線で示すように、波形調整部１６は、少なくとも１つのフェースギア歯１１ｃと残りのフェースギア歯１１ｃとの間で、ギアの諸元としての圧力角ＰＡ、ピッチＰＥ、ねじれ角ＴＡ、歯形形状ＴＳ、及び歯すじ形状ＴＬＳの少なくともいずれか１つを異ならせることによって、波形ＷＳが不均一になるように調整する。
【００２９】
第１実施形態では、波形調整部１６は、フェースギア歯１１ｃにおいて、歯形形状ＴＳを一部で異ならせることによって構成される。駆動ギア１１の諸元は、例えば、歯数３１、外径２５．９ｍｍ、内径２１．４ｍｍ、基準オフセット６．５ｍｍである。なお、図３及び図４には、歯数などの諸元は正確には描かれていない。
【００３０】
ピニオンギア１２は、図３に示すように、筒状のギア本体１２ａと、ギア本体１２ａの後部外周面に形成されたピニオンギア歯１２ｂと、を有する。ギア本体１２ａは、駆動軸１０と食い違う軸回り（スプール軸１５回り）にリールボディ２ａに回転自在に装着される。ギア本体１２ａは、ピニオンギア歯１２ｂの前後で前軸受１４ａ及び後軸受１４ｂによって、リールボディ２ａに回転自在に支持される。ギア本体１２ａの中心には、スプール軸１５が貫通可能な貫通孔１２ｄが形成される。ギア本体１２ａの前端外周面には、ロータ３を固定するためのナット１３が螺合する雄ネジ部１２ｅが形成される。ピニオンギア歯１２ｂは、駆動ギア歯１１ｂに噛み合うはす歯１２ｃを有する。ピニオンギア１２の前部外周面には、ロータ３を一体回転可能に連結するための平行な回り止め平面１２ｆが形成される。駆動ギア１１とピニオンギア１２は、基準かみ合い高さで噛み合うように設計される。ピニオンギア１２の諸元は、例えば、モジュール０．６５ｍｍ、圧力角２０、歯数６、転位係数＋０．５、ねじれ角５５度である。
【００３１】
＜その他の構成＞
オシレーティング機構６は、図１及び図２に示すように、スプール４の中心部にドラグ機構６０を介して連結されたスプール軸１５を前後方向に移動させてスプール４を同方向に移動させるための機構である。オシレーティング機構６は、スプール軸１５の下方に平行に配置されたトラバースカム軸２１と、トラバースカム軸２１に沿って前後方向にリールボディ２ａに案内されるスライダ２２と、トラバースカム軸２１の先端に固定された中間ギア２３とを有する。スライダ２２にはスプール軸１５の後端が回転不能に固定される。中間ギア２３はピニオンギア１２に噛み合う。
【００３２】
ロータ３は、図１に示すように、たとえばマグネシウム合金やアルミニウム合金製等の軽合金製であり、ピニオンギア１２に回転不能に連結され、リール本体２に対して回転自在である。ロータ３は、ピニオンギア１２に一体回転可能に連結された筒部３０と、筒部３０の後部の対向する位置に接続され筒部３０と間隔を隔てて前方に延びる第１ロータアーム３１及び第２ロータアーム３２と、を有する。
【００３３】
ロータ３の筒部３０は、前部内周側に円板状の壁部３０ｄを有し、壁部３０ｄの中心部には、ピニオンギア１２と一体回転可能に連結されるボス部３０ｅが形成される。このボス部３０ｅの内周部をピニオンギア１２の前部が貫通し、ピニオンギア１２の前部にある回り止め平面１２ｆがボス部３０ｅの内周面に一体回転可能に係止される。この状態でピニオンギア１２の雄ネジ部１２ｅにナット１３をねじ込むことにより、ロータ３がピニオンギア１２に固定される。第１ロータアーム３１の先端の外周側には、釣り糸をスプール４に案内するベールアーム４４が糸開放姿勢と糸巻取姿勢とに揺動自在に装着される。
【００３４】
ロータ３の筒部３０の内部には、ロータ３の逆転を禁止・解除するための逆転防止機構５０が配置される。逆転防止機構５０は、内輪が遊転するローラ型のワンウェイクラッチ５１と、ワンウェイクラッチ５１を作動状態（逆転禁止状態）と非作動状態（逆転許可状態）とに切り換える切換レバー５２とを有する。切換レバー５２は、リールボディ２ａに揺動自在に装着される。切換レバー５２の先端には図示しないカムが設けられており、切換レバー５２を揺動させると、カムによりワンウェイクラッチ５１が作動状態と非作動状態とに切り換わる。
【００３５】
スプール４は、図１に示すように、ロータ３の第１ロータアーム３１と第２ロータアーム３２との間に配置されており、スプール軸１５の先端にドラグ機構６０を介して装着される。スプール４は、外周に釣り糸が巻かれる糸巻き胴部４ａと、糸巻き胴部４ａの後方に糸巻き胴部４ａと一体形成された筒状のスカート部４ｂと、糸巻き胴部４ａの前端に設けられた大径のフランジ部４ｃとを有する。
【００３６】
ドラグ機構６０は、スプール４の回転を制動するものであり、スプール軸１５の先端に螺合するドラグ調整つまみ６１と、ドラグ調整つまみ６１により押圧されてスプール４を制動する制動部６２とを有する。
【００３７】
＜スピニングリールの動作＞
このように構成されたスピニングリール１００では、キャスティング後にベールアーム４４を糸案内姿勢の状態にして、魚の当たりを待つ。仕掛けに獲物がかかると、釣り人はハンドル１を糸巻取方向に回転させる。すると、その回転で駆動ギア１１が回転し、駆動ギア１１に噛み合うピニオンギア１２が回転する。これにより、ロータ３が糸巻取方向に回転し、繰り出された釣り糸がスプール４に巻き付けられる。このとき、ピニオンギア１２の歯先が、駆動ギア１１の第１歯面１１ｄに接触する。この第１歯面１１ｄに波形調整部１６が設けられているので、駆動ギア１１がピニオンギア１２を回転させると、噛み合い時のハンドル１に伝わる振動が、図６に示すように、周期及び振幅が異なる複雑な波形の振動の組み合わせになる。これによって、波形ＷＳが不均一になり、シルク又はベルベットなどの繊維の表面をなぞるようなテクスチャー振動を得ることができる。このため、釣り人は、ハンドル１に伝わるスピニングリール１００の回転フィーリングがさらに向上したと感じることができる。
【００３８】
＜第２実施形態＞
第１実施形態では、釣り用リールとしてのスピニングリール１００の駆動ギア１１を例に本発明を説明したが、第２実施形態では、図８に示すように、両軸受リール（釣り用リールの一例）２００の駆動ギア１３１を例に本発明を説明する。
【００３９】
本発明の第２実施形態を採用した両軸受リール２００は、図７及び図８に示すように、ベイトキャスト用の小型のロープロフィール型のリールである。両軸受リール２００は、リール本体１０１と、リール本体１０１の側方に配置されたスプール回転用ハンドル１０２と、ハンドル１０２のリール本体１０１側に配置されたドラグ調整用のスタードラグ１０３と、を備える。
【００４０】
＜リール本体＞
リール本体１０１は、フレーム１０５と、フレーム１０５の両側方に装着された第１側カバー１０６ａ及び第２側カバー１０６ｂと、を有する。また、リール本体１０１は、前方を覆う前カバー１０７と、上部を覆うサムレスト１０８と、を有する。さらに、リール本体１０１は、図８に示すように、第１側カバー１０６ａにねじ止め固定される軸支持部１０９を有する。リール本体１０１の内部には糸巻き用のスプール１１２が回転自在かつ着脱自在に装着される。
【００４１】
フレーム１０５は、所定の間隔をあけて互いに対向するように配置された１対の第１側板１０５ａ及び第２側板１０５ｂと、これらの第１側板１０５ａ及び第２側板１０５ｂを連結する図示しない複数の連結部とを有する。第１側板１０５ａには、スプール１１２が通過可能な第１開口部１０５ｃが形成される。
【００４２】
第１側カバー１０６ａは、第１側板１０５ａ及び第２側板１０５ｂの後部に軸方向移動自在かつ回動自在に支持される。第１側カバー１０６ａは、開閉可能である。
【００４３】
前カバー１０７及びサムレスト１０８は、フレーム１０５にねじ止め固定される。軸支持部１０９は、有底筒状の部材である。軸支持部１０９は、スプール軸１１６の一端を支持する。
【００４４】
第２側カバー１０６ｂは、第２側板１０５ｂにネジ止め固定される。第２側カバー１０６ｂには、第１ボス部１０６ｃと、第２ボス部１０６ｄと、が設けられる。第１ボス部１０６ｃは、ハンドル１０２が連結される後述する駆動軸１３０を支持するために設けられる。第２ボス部１０６ｄは、スプール１１２が固定されるスプール軸１１６を支持するために設けられる。
【００４５】
フレーム１０５内には、スプール１１２と、スプール１１２内に釣り糸を均一に巻き付けるためのレベルワインド機構１１５と、サミングを行う場合の親指の当てとなるクラッチ操作部材１１７とが配置される。スプール１１２は、第１側板１０５ａの第１開口部１０５ｃを通過可能である。また、フレーム１０５と第２側カバー１０６ｂとの間には、回転伝達機構１１８と、図示しないクラッチ機構、クラッチ制御機構、及びキャスティングコントロール機構と、ドラグ機構１２１と、が配置される。回転伝達機構１１８は、ハンドル１０２からの回転力をスプール１１２及びレベルワインド機構１１５に伝えるための機構である。クラッチ制御機構は、クラッチ操作部材１１７の操作に応じてクラッチ機構の係脱及び制御を行うための機構である。キャスティングコントロール機構は、スプール１１２の回転時の抵抗力を調整するための制動機構である。さらに、フレーム１０５と第１側カバー１０６ａとの間には、スプール制動装置１２３が配置される。スプール制動装置１２３は、キャスティング時のバックラッシュを抑えるための装置である。
【００４６】
スプール１１２は、外周に釣り糸が巻き付けられる。スプール軸１１６は、第２側板１０５ｂを貫通して第２側カバー１０６ｂの外方に延びる。スプール軸１１６の他端は、第２側カバー１０６ｂに支持される。
【００４７】
＜回転伝達機構＞
回転伝達機構１１８は、図８に示すように、ハンドル１０２が一体回転可能に連結される駆動軸１３０と、駆動軸１３０に装着された駆動ギア１３１と、駆動ギア１３１に螺合するピニオンギア１３２と、駆動軸１３０に一体回転可能に連結された第１ギア１３３と、第１ギア１３３に噛み合う第２ギア１３４と、を有する。第２ギア１３４は、レベルワインド機構１１５をハンドル１０２の回転に応じて左右に往復移動させるために設けられる。
【００４８】
駆動軸１３０は、リール本体１０１の第１ボス部１０６ｃに装着されたワンウェイクラッチ１４０により糸巻取方向のみ回転可能である。駆動軸１３０は、第１軸受１３５ａ及び第２軸受１３５ｂによりリール本体１０１に回転自在に支持される。第１軸受１３５ａは、第２側カバー１０６ｂの第１ボス部１０６ｃに装着される。第２軸受１３５ｂは、第２側板１０５ｂに装着される。
【００４９】
図９に示すように、駆動軸１３０には、ドラグ機構１２１のドラグ力を受けるドラグ受け部材としてのラチェットホイール１３６が一体回転可能に装着される。ラチェットホイール１３６は、ドラグ受け部材として機能するとともに、クラッチ機構をクラッチオフ状態からクラッチオン状態に戻すクラッチ戻し機構としても機能する。
【００５０】
また、駆動軸１３０には、駆動ギア１３１が回転自在に装着されるとともに、ドラグ機構１２１のドラグ板１３７が一体回転可能に装着される。さらに、駆動軸１３０には、スタードラグ１０３が螺合する。駆動軸１３０には、ハンドル１０２が一体回転可能に装着される。
【００５１】
駆動ギア１３１は、図９に示すように、例えば、モジュールが１程度で歯数が４２枚程度の円筒歯車である。したがって、ピッチ円直径ＰＣＤは、略４２ｍｍである。図９では、駆動ギア１３１を作図の都合によってすぐ歯で図示するが、実際には、駆動ギア１３１は、はす歯の円筒歯車である。駆動ギア１３１は、円板状のギア本体１３１ａと、ギア本体１３１ａの外周側に周方向に間隔を隔てて設けられ、ピニオンギア１３２にかみ合う複数の駆動ギア歯１３１ｂと、波形調整部１１９と、を備える。駆動ギア１３１は、例えば、ステンレス合金をダイキャスト加工又は転造等によって形成される。駆動ギア歯１３１ｂは、ギア本体１３１ａの一側面の外周面に周方向に間隔を隔てて形成され、ねじれ角ＴＡが２０度以下のはす歯１３１ｃを含む。図１０に示すように、それぞれのはす歯１３１ｃは、ハンドル１０２が糸巻取方向に回転する時にピニオンギア１３２に噛み合う第１歯面１３１ｄと、糸繰り出し方向に回転したときに噛み合う第２歯面１３１ｅとを有する。
【００５２】
図１０に示すように、波形調整部１１９は、第１歯面１３１ｄに設けられる。波形調整部１１９は、ピニオンギア１３２との噛み合いにおいて発生する振動の波形ＷＳが、図６に示すように、不均一になるように調整するものである。波形調整部１１９は、通常は、可及的に複数のはす歯１３１ｃの第１歯面１３１ｄの形状を高精度にするとともに、ピッチを同じに形成するのを、あえて、少なくとも１つはす歯１３１ｃの形状またはピッチを残りのはす歯１３１ｃと異ならせることによって形成される。具体的には、図１０に二点鎖線で示すように、波形調整部１１９は、少なくとも１つのはす歯１３１ｃと残りのはす歯１３１ｃとの間で、ギアの諸元である圧力角ＰＡ、ピッチＰＥ、ねじれ角ＴＡ、歯形形状ＴＳ、及び歯すじ形状ＴＬＳの少なくともいずれか１つを異ならせることによって、波形ＷＳが不均一になるように調整する。
【００５３】
ピニオンギア１３２は、図９に示すように、スプール軸１１６（図８参照）が中心を貫通する筒状部材である。ピニオンギア１３２は、リール本体１０１に回転自在に支持される。また、ピニオンギア１３２は、スプール軸方向に移動自在に装着される。ピニオンギア１３２の一端には、図示しないクラッチ機構の係合ピンが係合するかみ合い溝１３２ａが直径上に沿って形成される。ピニオンギア１３２の他端側には、駆動ギア１３１の駆動ギア歯１３２ｂに噛み合うピニオンギア歯１３２ｂが形成される。かみ合い溝１３２ａとピニオンギア歯１３２ｂとの間にはくびれ部１３２ｃが形成される。くびれ部１３２ｃには、クラッチ制御機構が係合する。クラッチ操作部材１１７がクラッチオフ位置に操作されると、ピニオンギア１３２は、オン位置よりも図８右側（第２側カバー１０６ｂ側）のオフ位置に移動する。これにより、クラッチ機構がクラッチオフ状態になる。
【００５４】
第２ギア１３４は、レベルワインド機構１１５の図示しない螺軸に一体回転可能に連結される。
【００５５】
ドラグ機構１２１は、クラッチオン状態のとき、駆動ギア１３１を介してスプール１１２の糸繰り出し方向の回転を制動するものである。ドラグ機構１２１は、スタードラグ１０３によりドラグ力が調整される。ドラグ機構１２１は、図８及び図９に示すように、ワンウェイクラッチ１４０の内輪１４０ａを介してハンドル１０２の回転及びスタードラグ１０３の押圧力を伝達して駆動ギア１３１を滑らせることにより、スプール１１２の糸繰り出し方向の回転を制動する。ドラグ機構１２１は、内輪１４０ａに一体回転可能に連結されるドラグ板１３７と、ラチェットホイール１３６と、を有する。ドラグ板１３７と駆動ギア１３１との間及び駆動ギア１３１とラチェットホイール１３６との間には、ドラグ作動時に駆動ギア１３１が滑らかに滑るようにするためにフェルト製またはグラファイト製の第１ドラグ座金１４１ａ及び第２ドラグ座金１４１ｂが装着される。
【００５６】
＜両軸受リールの動作＞
次に、両軸受リールの動作について説明する。
【００５７】
釣り糸を繰り出す時には、クラッチ操作部材１１７を操作してクラッチ機構をクラッチオフ状態にする。この結果、スプール１１２が自由回転状態になり、キャスティングすることによりスプール１１２が糸繰り出し方向に回転し、先端に仕掛けが装着された釣り糸がスプール１１２から繰り出される。
【００５８】
仕掛けが着水するとハンドル１０２を糸巻取方向に回転させてクラッチ機構をオン状態にする。これによりハンドル１０２とスプール１１２とが連結される。仕掛けに獲物がかかると、釣り人はハンドル１０２を糸巻取方向に回転させる。すると、その回転で駆動ギア１３１が回転し、駆動ギア１３１に噛み合うピニオンギア１３２が回転する。これにより、スプール１１２が糸巻取方向に回転し、繰り出された釣り糸がスプール１１２に巻き取られる。このとき、ピニオンギア１３２の歯先が、駆動ギア１３１の第１歯面１３１ｄに接触する。この第１歯面１３１ｄに波形調整部１１９が設けられるので、駆動ギア１３１がピニオンギア１３２を回転させると、噛み合い時のハンドル１０２に伝わる振動が、図６に示すように、周期及び振幅が異なる複雑な波形の振動の組み合わせになる。これによって、波形ＷＳが不均一になり、シルク又はベルベットなどの繊維の表面をなぞるようなテクスチャー振動を得ることができる。このため、釣り人は、ハンドル１０２に伝わる両軸受リール２００の回転フィーリングがさらに向上したと感じることができる。
【００５９】
次に、魚の引きなどで釣り糸が繰り出される際には、スプール１１２の回転が駆動ギア１３１に伝達され、ドラグ機構１２１を介して駆動軸１３０およびワンウェイクラッチ１４０に伝わる。ワンウェイクラッチ１４０では駆動軸１３０の逆転が禁止される。魚の引きが弱ければ、スプール１１２は回転せず釣り糸が引き出されることもない。そして、魚の引きが強くなりスプール１１２の回転力が大きくなると、伝達される回転力がドラグ機構１２１の設定回転抵抗力を超える。すると、ドラグ機構１２１で滑りが生じるので、駆動ギア１３１を含むスプール１１２側は回転を始める。このとき、スプール１１２には常にドラグ機構１２１から一定の抵抗力すなわちドラグ力が作用する。
【００６０】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組合せ可能である。
【００６１】
（ａ）第１実施形態及び第２実施形態では、駆動ギア１１（又は１３１）に波形調整部１６（又は１１９）を設けたが、ピニオンギア１２（又は１３２）のピニオンギア歯１２ｂ（又は１３２ｂ）の糸巻き取り時に駆動ギア１１に接触する面に図１０に示すような波形調整部１１９を設けてもよい。この場合には、第１実施形態及び第２実施形態と同様な作用効果が得られる。ただし、ピニオンギア１２（又は１３２）は、駆動ギア１１（又は１３１）に比べて歯数が少ないため、駆動ギア１１（又は１３１）比べて波形ＷＳの変化が少なくなる。したがって、歯数が多い駆動ギア１１（又は１３１）に波形調整部１６（又は１１９）を設けるのが好ましい。
【００６２】
（ｂ）上記実施形態では、波形調整部１６（又は１１９）が歯形形状ＴＳを異ならせることによって波形ＷＳを調整するが、本発明はこれに限定されない。波形調整部１６（又は１１９）は、少なくとも１つのフェースギア歯１１ｃと残りのフェースギア歯１１ｃとの間で、圧力角ＰＡ、ピッチＰＥ、ねじれ角ＴＡ、歯形形状ＴＳ、及び歯すじ形状ＴＬＳの少なくともいずれか１つを異ならせることによって、波形ＷＳが不均一になるように調整するものであればどのようなものでもよい。たとえば、圧力角ＰＡと歯形形状ＴＳを組み合わせてもよい。また、歯すじ形状ＴＬＳとねじれ角ＴＡを組み合わせてもよい。
【００６３】
（ｃ）第２実施形態では、はす歯の円筒歯車を例に本発明を説明したが、やま歯又はすぐ歯の円筒歯車にも本発明を適用できる。
【００６４】
（ｄ）第１実施形態では、スピニングリールとして、フロントドラグ形のものを例に本発明を説明したが、スピニングリールは、リアドラグ形、レバーによるロータ制動形、２種の制動機構を切り換え可能なスピニングリールなど、全てのスピニングリールに本発明を適用できる。
【００６５】
（ｅ）第１及び第２実施形態では、釣り用リールとして両軸受リール（電動リールを含む）とスピニングリールを例示したが、その他の釣り用リールにもて適用できる。例えば、駆動ギアを有するスピンキャストリール及び片軸受リールにも本発明を適用できる。
【００６６】
＜特徴＞
上記実施形態は、下記のように表現可能である。
【００６７】
（Ａ）釣り用リール（スピニングリール１００又は両軸受リール２００）の駆動ギア１１（又は１３１）は、釣り用リールの駆動軸１０（又は１３０）に設けられ、ピニオンギア１２（又は１３２）に噛み合うギアである。駆動ギア１１（又は１３１）は、円板状のギア本体１１ａ（又は１３１ａ）と、複数の駆動ギア歯１１ｂ（又は１３１ｂ）と、波形調整部１６（又は１１９）と、を備える。ギア本体１１ａ（又は１３１ａ）は、駆動軸１０（又は１３０）に設けられる。複数の駆動ギア歯１１ｂ（又は１３１ｂ）は、ギア本体１１ａ（又は１３１ａ）の外周側に周方向に間隔を隔てて設けられ、ピニオンギア１２（又は１３２）に噛み合う。波形調整部１６（又は１１９）は、複数の駆動ギア歯１１ｂ（又は１３１ｂ）の少なくとも一部に設けられ、ピニオンギア１２（１３２）との噛み合いにおいて発生する振動の波形ＷＳが不均一になるように調整する。波形調整部１６（又は１１９）は、少なくとも１つの駆動ギア歯１１ｂ（又は１３１ｂ）と残りの駆動ギア歯１１ｂ（又は１３１ｂ）との間で、圧力角ＰＡ、ピッチＰＥ、ねじれ角ＴＡ、歯形形状ＴＳ、及び歯すじ形状ＴＬＳの少なくともいずれか１つを異ならせることによって、波形ＷＳが不均一になるように調整する。
【００６８】
この駆動ギア１１（又は１３１）によれば、波形調整部１６（１１９）によって少なくとも１つの駆動ギア歯１１ｂ（又は１３１ｂ）と残りの駆動ギア歯１１ｂ（又は１３１ｂ）との間で、圧力角ＰＡ、ピッチＰＥ、ねじれ角ＴＡ、歯形形状ＴＳ、及び歯すじ形状ＴＬＳの少なくともいずれか１つを異ならせる。このため、ハンドル１（又は１０２）に伝わる振動が複雑な振動の組み合わせになる。これによって、シルク又はベルベットなどの繊維の表面をなぞるようなテクスチャー振動を得ることができる。このため、ハンドル１（又は１０２）に伝わる釣り用リール（スピニングリール１００又は両軸受リール２００）の回転フィーリングをさらに向上させることができる。
【００６９】
（Ｂ）波形調整部１６（又は１１９）は、少なくとも圧力角ＰＡを異ならせることによって、波形ＷＳが不均一になるように調整してもよい。この場合には、比較的容易に波形ＷＳを不均一にできる。
【００７０】
（Ｃ）波形調整部１６（又は１１９）は、少なくともピッチＰＥを異ならせることによって、波形ＷＳが不均一になるように調整してもよい。この場合に、ピッチＰＥの変化によって、振動の周期及び振幅を変化させ波形ＷＳを不均一に変化させることができる。
【００７１】
（Ｄ）波形調整部１６（又は１１９）は、少なくともねじれ角ＴＡを異ならせることによって、波形ＷＳが不均一になるように調整してもよい。この場合には、ねじれ角ＴＡの変化によって、振動の周期及び振幅を変化させ波形ＷＳを不均一に変化させることができる。
【００７２】
（Ｅ）波形調整部１６（又は１１９）は、少なくとも歯形形状ＴＳを異ならせることによって、波形ＷＳが不均一になるように調整してもよい。この場合には、歯形形状ＴＳを変化させることによって、振動の周期及び振幅を変化させ波形ＷＳを不均一に変化させることができる。
【００７３】
（Ｆ）波形調整部１６（又は１１９）は、少なくとも歯すじ形状ＴＬＳを異ならせることによって、波形ＷＳが不均一になるように調整してもよい。この場合には、歯すじ形状ＴＬＳの変化させることによって、振動の周期及び振幅を変化させ波形ＷＳを不均一に変化させることができる。
【００７４】
（Ｇ）駆動ギア歯１１ｂは、ギア本体１１ａの外周側の側面に形成されるフェースギア歯１１ｃを含んでもよい。この場合には、スピニングリール１００のハンドル１に伝わる回転フィーリングをさらに向上させることができる。
【００７５】
（Ｈ）駆動ギア歯１３１ｂは、ギア本体１３１ａの外周面に形成されるすぐ歯及びはす歯１３１ｃのいずれかを含んでもよい。この場合には、両軸受リール２００のハンドル１０２に伝わる回転フィーリングをさらに向上させることができる。
【符号の説明】
【００７６】
１０，１３０    駆動軸
１１，１３１    駆動ギア
１１ａ，１３１ａ  ギア本体
１１ｂ，１３１ｂ  駆動ギア歯
１１ｃ  フェースギア歯
１２，１３２    ピニオンギア
１２ａ  ギア本体
１２ｂ  ピニオンギア歯
１６，１１９    波形調整部
１００    スピニングリール
１３１ｃ  はす歯
１３２ｂ  ピニオンギア歯
２００    両軸受リール
ＰＡ    圧力角
ＰＥ    ピッチ
ＴＡ    ねじれ角
ＴＳ    歯形形状
ＴＬＳ  歯すじ形状
ＷＳ    波形
【図１】
2015112099.tif 000003
【図２】
2015112099.tif 000004
【図３】
2015112099.tif 000005
【図４】
2015112099.tif 000006
【図５】
2015112099.tif 000007
【図６】
2015112099.tif 000008
【図７】
2015112099.tif 000009
【図８】
2015112099.tif 000010
【図９】
2015112099.tif 000011
【図１０】
2015112099.tif 000012